(57)【要約】【課題】仕切部材を使用しないときに目立たなく収納し且つ仕切部材の紛失を防止する。【解決手段】物品を収納可能な前側凹部（25）及び後側凹部（29）を有するボックス本体（5）と、ボックス本体（5）に後側凹部（29）の開口を開閉可能に設けられたリッド（7）と、前側凹部（25）内に取外し可能に設けられて前側凹部（25）内の収納スペース（25s）を仕切る仕切部材（9）とを備え、リッド（7）の裏側に、前側凹部（25）内から取り外した仕切部材（9）を収納する収納部（83）が設けられている。【選択図】図２
2018199464.tif 000002
【特許請求の範囲】
【請求項１】
物品を収納可能な凹部（25,29）を有するボックス本体（5）と、
前記ボックス本体（5）に前記凹部（29）の開口を開閉可能に設けられたリッド（7）と、
前記凹部（25）内に取外し可能に設けられて前記凹部（25）内の収納スペース（25s）を仕切る仕切部材（9）と、を備えるコンソールボックスであって、
前記リッド（7）の裏側には、前記凹部（25）内から取り外した前記仕切部材（9）を収納する収納部（83）が設けられている
ことを特徴とするコンソールボックス。
【請求項２】
請求項１に記載されたコンソールボックスにおいて、
前記仕切部材（9）の両側部（62）には、外側方に向けて突出した一対の嵌合凸部（63A,65A,63B,65B）がそれぞれ設けられ、
前記リッド（7）の前記収納部（83）の第１の方向における両側には、前記リッド（7）の裏側に向けて突出した一対の突部（85L,87L,85R,87R）がそれぞれ設けられ、
前記突部（85L,87L,85R,87R）は、前記第１の方向における前記収納部（83）の内方と前記第１の方向と直交し且つ前記リッド（7）の裏面に沿う第２の方向における一側とに開放された、前記嵌合凸部（63A,65A,63B,65B）が嵌合される嵌合凹部（91L,93L,91R,93R）を有し、
前記一対の嵌合凸部（63A,65A,63B,65B）の間には、前記一対の突部（85L,87L,85R,87R）のうち前記第２の方向における一側に位置する一方の前記突部（85L,85R）を挿入可能な空所（67）が設けられ、
前記一対の突部（85L,87L,85R,87R）の間には、前記一方の突部（85L,85R）を前記嵌合凸部（63A,65A,63B,65B）の間の前記空所（67）に挿入したときに当該一対の突部（85L,87L,85R,87R）の間に対応する一方の前記嵌合凸部（65A,65B）を挿入可能な空所（89）が設けられている
ことを特徴とするコンソールボックス。
【請求項３】
請求項１又は２に記載されたコンソールボックスにおいて、
前記仕切部材（9）は、前記収納スペース（25s）を仕切る壁として機能する板状仕切体（51）と、該板状仕切体（51）に組み付けられた、飲料容器を保持可能なホルダ体（53）と、を備え、
前記ホルダ体（53）は、前記板状仕切体（51）の一側から水平方向に張り出す使用位置と、前記板状仕切体（51）の一側に沿って重ねられた格納位置とに変位可能であり、
前記収納部（83）と前記仕切部材（9）とには、前記仕切部材（9）が前記収納部（83）に収納される向きを前記ホルダ体（53）が前記リッド（7）の裏面に臨む向きに規制する向き決め機構（63A,65A,63B,65B,91L,93L,91R,93R）が設けられている
ことを特徴とするコンソールボックス。
【発明の詳細な説明】
【技術分野】
【０００１】
本発明は、自動車の室内に設置されるコンソールボックスに関する。
【背景技術】
【０００２】
従来から、コンソールボックスとして、小物類を収納することが可能な凹部を有するボックス本体に対し凹部の開口を開閉するリッドが取り付けられた、リッド付きのコンソールボックスが知られている。また、コンソールボックスには、凹部内の収納スペースを仕切る着脱式の仕切部材を備え、収納したい物品の形状やサイズに応じて仕切部材により収納スペースを仕切ることが可能なものも存在する（例えば、特許文献１参照）。
【先行技術文献】
【特許文献】
【０００３】
【特許文献１】実開平６−１６１３４号公報
【発明の概要】
【発明が解決しようとする課題】
【０００４】
上述した着脱式の仕切部材を備えたコンソールボックスでは、凹部内の収納スペースを仕切らず広く使用したい場合など、仕切部材を使用しないときには、凹部内から取り外した仕切部材を収納する場所がない。この場合、仕切部材を凹部内に収納すると、せっかく収納スペースを広く使用したいがために仕切部材を取り除いたのに、仕切部材がある分だけ収容スペースを狭めてしまう。
【０００５】
さりとて、使用しない仕切部材をコンソールボックス外に置くと、仕切部材が車室内で目立って見栄えが悪い。また、仕切部材をグローブボックス等の目立たない別の場所に収納することも考えられるが、仕切部材をコンソールボックスから離れた場所に仕舞い込むと紛失するおそれがある。
【０００６】
本発明は、斯かる点に鑑みてなされたものであり、その目的とするところは、仕切部材を使用しないときに目立たなく収納し、且つ仕切部材の紛失を防止することにある。
【課題を解決するための手段】
【０００７】
上記の目的を達成するために、本発明では、リッド付きのコンソールボックスにおいてリッドの裏側に仕切部材の収納場所を設けるようにした。
【０００８】
具体的には、本発明は、物品を収納可能な凹部を有するボックス本体と、ボックス本体に凹部の開口を開閉可能に設けられたリッドと、凹部内に取外し可能に設けられて凹部内の収納スペースを仕切る仕切部材とを備えるコンソールボックスを対象とする。ここで、「凹部を有する」とは、１つの凹部に限らず、複数の凹部を有する場合を含む。「凹部」が複数ある場合においては、「リッド」は、少なくとも１つ設けられ、いずれかの「凹部」の開口を開閉するようになっていればよい。
【０００９】
本発明は、上記構成のコンソールボックスにおいて、以下の解決手段を講じたものである。
【００１０】
すなわち、第１の発明は、リッドの裏側に、ボックス本体の凹部内から取り外した仕切部材を収納する収納部が設けられていることを特徴とする。
【００１１】
第２の発明は、第１の発明のコンソールボックスにおいて、仕切部材の両側部に、外側方に向けて突出した一対の嵌合凸部がそれぞれ設けられた構成を有する。また、リッドの収納部の第１の方向における両側には、リッドの裏側に向けて突出した一対の突部がそれぞれ設けられている。突部は、第１の方向における収納部の内方と第１の方向と直交し且つリッドの裏面に沿う第２の方向における一側とに開放された、嵌合凸部が嵌合される嵌合凹部を有している。
【００１２】
そして、第２の発明は、一対の嵌合凸部の間に、一対の突部のうち第２の方向における一側に位置する一方の突部を挿入可能な空所が設けられており、一対の突部の間に、上記一方の突部を嵌合凸部の間の空所に挿入したときに当該一対の突部の間に対応する一方の嵌合凸部を挿入可能な空所が設けられていることを特徴とする。
【００１３】
第３の発明は、第１又は第２の発明のコンソールボックスにおいて、仕切部材が、凹部内の収納スペースを仕切る壁として機能する板状仕切体と、板状仕切体に組み付けられた、飲料容器を保持可能なホルダ体とを備える構成とされている。ホルダ体は、板状仕切体の一側から水平方向に張り出す使用位置と、板状仕切体の一側に沿って重ねられた格納位置とに変位可能である。
【００１４】
そして、第３の発明は、リッド裏側の収納部と仕切部材とに、仕切部材がリッド裏側の収納部に収納される向きをホルダ体がリッドの裏面に臨む向きに規制する向き決め機構が設けられていることを特徴とする。
【発明の効果】
【００１５】
第１の発明によれば、リッドの裏側にボックス本体の凹部内から取り外した仕切部材を収納する収納部を設けるようにしたから、仕切部材を使用しないときにはリッド裏側の収納部に目立たなく収納することができる。そうすることで、使用しないときの仕切部材をコンソールボックスから離れた場所に仕舞い込むことがなく、仕切部材の紛失を防止することができる。
【００１６】
第２の発明によれば、仕切部材の両側部に一対の嵌合凸部をそれぞれ設け、収納部の第１の方向における両側に一対の突部をそれぞれ設け、それら各突部に対し、嵌合凸部が嵌合する嵌合凹部をリッドの裏面に沿う第２の方向における一側に開放させて設けるようにしたから、仕切部材をリッド裏側に宛がった後にスライドさせるだけで各嵌合凸部を対応する嵌合凹部に嵌合させて、仕切部材をリッド裏側の収納部に簡単に収納することができる。
【００１７】
さらに、第２の発明によれば、片方の嵌合凸部を一対の突部の間の空所に挿入すると共に、片方の突部を一対の嵌合凸部の間の空所に挿入することにより、仕切部材をリッド裏側に宛がえるようにしたので、仕切部材をリッド裏側に宛がったときの嵌合凸部と嵌合凹部との距離を近くすることができ、仕切部材を短いスライドストロークでリッド裏側の収納部に収納することができる。それにより、収納部をリッドの表側に向けて凹む凹状に構成する場合には、その凹みの範囲を仕切部材のスライド方向（第２の方向）において短く設定できるので、リッドの裏側に対し、当該リッドで閉じられる凹部内に物品を収納することの邪魔にならないように収納部を容易に設けることができる。
【００１８】
第３の発明によれば、仕切部材に飲料容器を保持可能なホルダ体を必要に応じて機能させ得る構成を採用したので、仕切部材を凹部内の仕切位置では飲料容器のホルダとしても用いることができる。それによって、飲料容器を保持可能なホルダ部材を別途備える必要がなく、その分だけ部品点数を減らすことができ、仕切部材を用いることによる利便性を高めることができる。
【００１９】
さらに、第３の発明によれば、仕切部材がリッド裏側の収納部に収納される向きを向き決め機構によってホルダ体がリッドの裏面に臨む向きに規制するようにしたから、ホルダ体がリッドの裏側外方に臨む逆向き姿勢で仕切部材が収納部に収納されるのを防止することができる。その結果、仕切部材がリッドの開閉動作の邪魔にならず、且つホルダ体が破損することを防止できる。
【００２０】
仕切部材が逆向き姿勢で収納部に収納されると、ホルダ体が意図せず使用位置に変位し得るため、リッドの開閉操作を行い難くなるし、ホルダ体が使用位置にあるのに気づかず勢いよく閉めると、ホルダ体が凹部内に収納した物品やボックス本体に干渉することで破損するおそれがある。これに対し、第３の発明によると、仕切部材がホルダ体をリッドの裏面に臨ませた姿勢で収納部に収納されるので、ホルダ体は仕切部材が収納部に収納されている状態ではリッドの裏面に阻まれて使用位置に変位し得ず、上述したようなリッドの開閉操作の不便やホルダ体の破損を招くことがない。
【図面の簡単な説明】
【００２１】
【図１】実施形態に係るコンソールボックスの外観斜視図である。
【図２】実施形態に係るコンソールボックスの外観斜視図である。
【図３】図２のIII−III線におけるコンソールボックスの断面図である。
【図４】実施形態に係るコンソールボックスの前側凹部の上面図である。
【図５】実施形態に係る仕切部材の斜視図である。
【図６】実施形態に係る仕切部材の斜視図である。
【図７】実施形態に係る仕切部材の斜視図である。
【図８】実施形態に係る仕切部材の後面図である。
【図９】図４のIX−IX線におけるコンソールボックスの要部断面図、及びコンソールボックスの両側壁と仕切部材との嵌合部分の側面図である。
【図１０】実施形態に係るコンソールボックスのリッドの裏側を示す裏面図である。
【図１１】実施形態に係る仕切部材をリッド裏側の収納部に収納した状態の図１０相当図である。
【図１２】図１１のXII−XII線におけるコンソールボックスの要部断面図である。
【図１３】図１１のXIII−XIII線におけるコンソールボックスの要部断面図である。
【図１４】実施形態に係る仕切部材を収納する作業の要領を説明する図である。
【発明を実施するための形態】
【００２２】
以下、例示的な実施形態を図面に基づいて詳細に説明する。なお、以下の実施形態では、説明の便宜上、コンソールボックスが自動車の車室内に設置された状態での方向を基準として、車両前後方向における前側を「前」、後側を「後」と称し、車両前方を向いて車幅方向における左側を「左」、右側を「右」と称し、車高方向における上側を「上」、「下側」を「下」と称する。
【００２３】
図１及び図２に、この実施形態に係るコンソールボックス１の外観斜視図を示す。図１はリッド７を閉じた状態のコンソールボックス１の様子であり、図２はリッド７を開いた状態のコンソールボックス１の様子である。また、図３に、図２のIII−III線におけるコンソールボックス１の断面図を示す。図３では、使用しているときの仕切部材９を二点鎖線で図示している。
【００２４】
図１に示すコンソールボックス１は、例えば、自動車の室内において運転席と助手席との間に設けられたセンターコンソールの後部を構成しており、車内のフロアに設置される、アームレストを兼ねたリッド付きの物入れである。
【００２５】
このコンソールボックス１は、図２及び図３に示すように、物品を収容可能な２つの凹部２５，２９を有するボックス本体５と、ボックス本体５の上部に一方の凹部（後側凹部）２９の上側開口を開閉可能に設けられたリッド７と、他方の凹部（前側凹部）２５内に取外し可能に設けられる仕切部材９とを備える。
【００２６】
ボックス本体５は、前側に位置する前側収納ボックス１１と、後側に位置する後側収納ボックス１３と、前側収納ボックス１１及び後側収納ボックス１３を図示しないフレーム構造体と共に支持すると共にボックス本体５の外装を構成する外装部材１５とを備える。これら前側収納ボックス１１、後側収納ボックス１３及び外装部材１５は、ポリプロピレン（ＰＰ）などの合成樹脂からなり、例えば射出成形によって成形される樹脂成形品である。
【００２７】
外装部材１５は、前側収納ボックス１１を収納する前側収容部１７と、後側収納ボックス１３を収容する後側収容部１９とを有する。前側収容部１７は、後側収容部１９に対して一段下がった位置に上面を有する。この前側収容部１７の上面には、前側収納ボックス１１を嵌め込むための開口２１が形成されている。後側収容部１９は、前側収容部１７よりも高く、上方に張り出している。この後側収容部１９の上面部には、後側収納ボックス１３を嵌め込むための開口２３が形成されている。
【００２８】
前側収納ボックス１１は、上方に開口した前側凹部２５と、前側凹部２５の開口周縁から外側方に突出したフランジ片２７とを備える。前側凹部２５は、概ね直方体ボックス状をなし、後述する後側凹部２９に比べて浅底に形成されている。前側収納ボックス１１は、前側収容部１７の上面に形成された開口２１に上方から嵌め入れられて、フランジ片２７を当該開口２１の周縁部分に接合することにより、外装部材１５に取り付けられている。
【００２９】
後側収納ボックス１３は、上方に開口した後側凹部２９と、後側凹部２９の開口周縁から外側方に突出したフランジ片３１とを備える。後側凹部２９は、概ね直方体ボックス状をなし、前側凹部２５に比べて深底に形成されている。後側収納ボックス１３は、後側収容部１９の上面に形成された開口２３に上方から嵌め入れられて、フランジ片３１を当該開口２３の周縁部分に接合することにより、外装部材１５に取り付けられている。
【００３０】
ボックス本体５の内部で後側凹部２９の後方位置には、車幅方向に延びる枢支軸としての支軸部材３３が設けられている。この支軸部材３３の両端部は、図示しないがフレーム構造体や外装部材１５に支承されている。また、後側収納ボックス１３のフランジ片３１のうち後側部分には通し孔３５が形成されている。この通し孔３５には、リッド７に設けられたアーム３７が挿通されている。
【００３１】
リッド７は、アーム３７を介して支軸部材３３に回転自在に支持されており、前方から後方上側に起き上がる開動作と、後方から前方下側に倒れ込む閉動作とを行えるようになっている。アーム３７には、リッド７の開動作において通し孔３５の開口周縁に引っ掛かるストッパ３９が設けられている。リッド７は、そのストッパ３９により開動作が規制される全開位置において、裏側を前方に向けた姿勢とされる。また、リッド７は、閉じた状態でアームレストとして利用可能になっている。
【００３２】
仕切部材９は、図３に二点鎖線で示すように、飲料容器のホルダに変形可能な矩形パネル状の構造物であって、前側凹部２５内に立てた姿勢に取り付けられる。前側凹部２５は、後側凹部２９内の収納スペース２９ｓよりも前後方向に長い収納スペース２５ｓを内部に有する。そして、当該前側凹部２５は、仕切部材９を取付け可能な構成を備え、仕切部材９を取り付けることにより収納スペース２５ｓを前後方向に二分できるようになっている。
【００３３】
図４に、前側収納ボックス１１の前側凹部２５の上面図を示す。図５〜図７に、仕切部材９の斜視図を示す。図５及び図６は、後述するホルダ体５３を格納位置とした状態の仕切部材９の様子であり、図７は、当該ホルダ体５３を使用位置とした状態の仕切部材９の様子である。図８に、この仕切部材９の後面図を示す。また、図９に、図４のIX−IX線におけるコンソールボックス１の前側凹部２５の断面図と前側凹部２５の両側壁４１Ｌ，４１Ｒと仕切部材９との嵌合部分の側面図とを示す。なお、以下では、仕切部材９について、使用状態での姿勢を基準として、前側を「前」、後側を「後」、上側を「上」、下側を「下」と称する。
【００３４】
前側収納ボックス１１の左右両側壁４１Ｌ，４１Ｒには、図４及び図９に示すように、前側凹部２５の内方に向けて張り出した段差壁部４３が前後方向における全体に亘って設けられている。段差壁部４３は、前側収納ボックス１１の底壁４５から前側凹部２５の開口に向けて前側収納ボックス１１の上端寄りの中途位置にまで延びる高さに形成されており、前側凹部２５の開口に臨む上端面４７を有する。この段差壁部４３の前後方向における中程には、上端面４７から前側収納ボックス１１の底側に真っ直ぐ延びる嵌合溝４９Ｌ，４９Ｒが形成されている。
【００３５】
嵌合溝４９Ｌ，４９Ｒは、段差壁部４３の上端面４７に前側凹部２５の開口に向けて開放された開放端を有し、前側収納ボックス１１の底側に向かうに連れて幅が狭まる先細り形状とされている。これら嵌合溝４９Ｌ，４９Ｒの溝幅は、左側側壁４１Ｌの段差壁部４３に設けられた嵌合溝４９Ｌと、右側側壁４１Ｒの段差壁部４３に設けられた嵌合溝４９Ｒとで異なっている。この実施形態に示す例では、左側の嵌合溝４９Ｌの溝幅の方が右側の嵌合溝４９Ｒの溝幅よりも全体的に少し広くなっている。
【００３６】
仕切部材９は、図５〜図８に示すように、前側凹部２５内の収納スペース２５ｓを仕切る壁として機能する板状仕切体５１と、板状仕切体５１に組み付けられた、飲料容器を保持可能なホルダ体５３とを備える。板状仕切体５１は、ペーパーハンガーのような形態とされた中空ブロック状の横桟部５５と、横桟部５５を一辺とした矩形状の格納部５７をなす壁状本体５９とによって構成されている。
【００３７】
ホルダ体５３は、飲料容器を挿通して保持させることが可能な保持孔６１が中央部分に形成された矩形状の有孔板からなる。このホルダ体５３は、一辺側が横桟部５５で回転可能に支持され、その回転動作を以て、板状仕切体５１の一側から水平方向に張り出す使用位置と、板状仕切体５１の一側に沿って重ねられて格納部５７に格納された格納位置とに変位可能になっており、図示しないが使用位置での姿勢を保持するロック機構を備える。
【００３８】
壁状本体５９の両側部６２は、外側方に臨む板状片によって構成されていて、横桟部５５の両端部よりも当該横桟部５５の長手方向における内側に位置している。つまり、横桟部５５の両端部は、壁状本体５９の両側部６２よりも外側方に突出している。そして、壁状本体５９の両側部６２には、外側方に向けて突出した一対の嵌合凸部６３Ａ，６５Ａ，６３Ｂ，６５Ｂがそれぞれ設けられている。
【００３９】
以下では、仕切部材９がホルダ体５３を前方に向けた姿勢とされた状態で、左側に位置する嵌合凸部６３Ａ，６５Ａを「第１嵌合凸部」、右側に位置する嵌合凸部６３Ｂ，６５Ｂを「第２嵌合凸部」と称する。一対の第１嵌合凸部６３Ａ，６５Ａは、仕切部材９の高さ方向に間隔をあけて配置されていて、それら一対の第１嵌合凸部６３Ａ，６５Ａの間には空所６７が設けられている。また、一対の第２嵌合凸部６３Ｂ，６５Ｂも、仕切部材９の高さ方向に間隔をあけて配置されていて、それら一対の第２嵌合凸部６３Ｂ，６５Ｂの間には空所６７が設けられている。
【００４０】
上側の第１嵌合凸部６３Ａ及び第２嵌合凸部６３Ｂは、横桟部５５の端部から下方に延びる下向き矢印のような形状とされ、下端側に前後方向に突出した引掛け爪６９を有する。また、下側の第１嵌合凸部６５Ａ及び第２嵌合凸部６５Ｂは、上側の第１嵌合凸部６３Ａ及び第２嵌合凸部６５Ｂよりも細長く延びる下向き矢印のような形状とされ、下端側に前後方向に突出した引掛け爪７１を有する。
【００４１】
上側の第１嵌合凸部６３Ａと上側の第２嵌合凸部６３Ｂとは、前後方向における幅が異なっている。また、下側の第１嵌合凸部６５Ａと下側の第２嵌合凸部６３Ｂとも、前後方向における幅が異なっている。この実施形態に示す例では、第１嵌合凸部６３Ａ，６５Ａの前後方向における幅の方が第２嵌合凸部６３Ｂ，６５Ｂの前後方向における幅よりも広くなっている。第１嵌合凸部６３Ａ，６５Ａには、凹状の肉抜き部７３が形成されている。他方、第２嵌合凸部６３Ｂ，６５Ｂは、中実に形成されていて、肉抜き部を有していない。
【００４２】
第１嵌合凸部６３Ａ，６５Ａは、相対的に幅広であるため、相対的に幅広な嵌合溝４９Ｌには上方の開放端からスライド挿入できるものの、相対的に幅狭な嵌合溝４９Ｒには上方の開放端からスライド挿入できないようになっている。このような構成により、仕切部材９を前側凹部２５内に取り付けるときの向きが、ホルダ体５３を板状仕切体４１に対して前側に位置させた向きに決められる。
【００４３】
前側凹部２５の嵌合溝４９Ｌ，４９Ｒと仕切部材９の嵌合凸部６３Ａ，６５Ａ，６３Ｂ，６５Ｂは、仕切部材９の使用時の向きを規制する向き決め機構の一例である。
【００４４】
仕切部材９は、使用しないときには、図２及び図３に示すように、前側凹部２５内から取り外されてリッド７の裏側に収納される。
【００４５】
リッド７は、リッド７の外郭を構成するリッドアウタ７４と、リッドアウタ７４の裏側に設けられたインナパネル７９とを備える。
【００４６】
リッドアウタ７４は、塩化ビニール材などの軟質材からなる表皮７５と、ポリプロピレン（ＰＰ）などの剛性材からなるアウタパネル７７と、これら表皮７５とアウタパネル７７との間に設けられたウレタン樹脂からなるクッション層８１とによって構成されている。このリッドアウタ７４は、裏側を凹ませた形状に構成されている。
【００４７】
表皮７５とアウタパネル７７とは、例えば射出成形によってそれぞれ成形され、外周縁部同士が嵌合構造などを用いることにより連結されて一体化されている。クッション層８１は、それら表皮７５とアウタパネル７７との隙間に挟み込まれたウレタンシートによって構成されている。このクッション層によって、リッド７をアームレストとして利用したときには、柔らかな感触を得られるようになっている。
【００４８】
インナパネル７９は、ポリプレピレン（ＰＰ）などの剛性材からなり、例えば射出成形によって成形される。このインナパネル７９は、リッドアウタ７４の裏側の凹みに嵌め込まれて固定されており、リッド７の裏側を構成している。このインナパネル７９の裏側には、前側凹部２５内から取り外した仕切部材９を収納する収納部８３が設けられている。
【００４９】
図１０に、リッド７を裏側から見た裏面図を示す。図１１に、仕切部材９をリッド７裏側の収納部８３に収納した状態の図１０相当図を示す。図１２に、図１１のXII−XII線におけるリッド７の要部断面図を示す。また、図１３に、図１１のXIII−XIII線におけるリッド７の要部断面図を示す。なお、以下では、リッド７について、閉じた状態での姿勢を基準として、前側を「リッド前側」、後側を「リッド後側」と称し、前後方向を述べる。
【００５０】
収納部８３は、図１０に示すように、リッド７の表側に向けて凹んでおり、リッド７の裏側から見て矩形凹状をなしている。この収納部８３の左右両則には、リッド７の裏側に向けて突出した一対の突部８５Ｌ，８７Ｌ，８５Ｒ，８７Ｒがそれぞれ設けられている。一対の突部８５Ｌ，８７Ｌ，８５Ｒ，８７Ｒは、リッド７の長さ方向（前後方向）において互いに間隔をあけて配置されていて、それら一対の突部８５Ｌ，８７Ｌ，８５Ｒ，８７Ｒの間には空所８９が設けられている。
【００５１】
一対の突部８５Ｌ，８７Ｌ，８５Ｒ，８７Ｒのうち、リッド前側の突部８５Ｌ，８５Ｒは、仕切部材９における一対の嵌合凸部６３Ａ，６５Ａ，６３Ｂ，６５Ｂの間の空所６７に収まるサイズに形成されている。つまり、一対の嵌合凸部６３Ａ，６５Ａ，６３Ｂ，６５Ｂの間の空所６７にはリッド前側の突部８５Ｌ，８５Ｒを挿入可能になっている。そして、一対の突部８５Ｌ，８７Ｌ，８５Ｒ，８７Ｒの間の空所８９には下側の嵌合凸部６５Ａ，６５Ｂを挿入可能になっている。換言すると、下側の嵌合凸部６５Ａ，６５Ｂは、一対の突部８５Ｌ，８７Ｌ，８５Ｒ，８７Ｒの間の空所８９に収まるサイズに形成されている。
【００５２】
さらに、各突部８５Ｌ，８７Ｌ，８５Ｒ，８７Ｒは、図１１〜図１３にも示すように、嵌合凸部６１Ａ，６５Ａ，６３Ｂ，６５Ｂが嵌合される嵌合凹部９１Ｌ，９３Ｌ，９１Ｒ，９３Ｒを有している。これら嵌合凹部９１Ｌ，９３Ｌ，９１Ｒ，９３Ｒは、少なくとも左右方向（第１の方向）における収納部８３の内方とリッド７の裏面に沿う長さ方向（第２の方向）におけるリッド前側とに開放されている。
【００５３】
具体的には、収納部８３の左側にある一対の突部８５Ｌ，８７Ｌのうち、リッド前側の突部８５Ｌの嵌合凹部９１Ｌは、リッド７の前後両側と右方とに開放されている。他方、リッド後側の突部８５Ｌの嵌合凹部９３Ｌは、リッド７の前側と右方とに開放されている。これら嵌合凹部９１Ｌ，９３Ｌは、仕切部材９の相対的に幅広な嵌合凸部６１Ａ，６３Ａが嵌合される部分であって、当該嵌合凸部６１Ａ，６３Ａの幅に応じて相対的に大きく開口している。
【００５４】
また、収納部８３の右側にある一対の突部８５Ｒ，８７Ｒのうち、リッド前側の突部８５Ｒの嵌合凹部９１Ｒは、リッド７の前後両側と左方とに開放されている。他方、リッド後側の突部８５Ｒの嵌合凹部９３Ｒは、リッド７の前側と左方とに開放されている。これら嵌合凹部９１Ｒ，９３Ｒは、仕切部材９の相対的に幅広な嵌合凸部６１Ｂ，６３Ｂが嵌合される部分であって、当該嵌合凸部６１Ｂ，６３Ｂの幅に応じて相対的に小さく開口している。
【００５５】
仕切部材９の第１嵌合凸部６３Ａ，６５Ａは、相対的に幅広であるため、相対的に大きく開口した嵌合凹部９１Ｌ，９３Ｌには、リッド７の前方の開放端からスライド挿入できるものの、相対的に小さく開口した嵌合凹部９１Ｒ，９３Ｒには前方の開放端からスライド挿入できないようになっている。このような構成により、仕切部材９を収納部８３に収納するときの向きが、ホルダ体５３をリッド７の裏面を構成するインナパネル７９に臨ませる向きに決められる。
【００５６】
収納部８３の突部８５Ｌ，８７Ｌ，８５Ｒ，８７Ｒに形成された嵌合凹部９１Ｌ，９３Ｌ，９１Ｒ，９３Ｒと仕切部材９の嵌合凸部６３Ａ，６５Ａ，６３Ｂ，６５Ｂとは、仕切部材９の収納部８３への収納時の向きを規制する向き決め機構の一例である。
【００５７】
各突部８５Ｌ，８７Ｌ，８５Ｒ，８７Ｒのうち嵌合凹部９１Ｌ，９３Ｌ，９１Ｒ，９３Ｒの前側の開口周縁には、図１２及び図１３に示すように、当該突部８５Ｌ，８７Ｌ，８５Ｒ，８７Ｒの先端部分から基端側へ突出した掛止め部９５が設けられている。仕切部材９における各嵌合凸部６３Ａ，６５Ａ，６３Ｂ，６５Ｂの引掛け爪６９，７１は、当該嵌合凸部６３Ａ，６５Ａ，６３Ｂ，６５Ｂが対応する嵌合凹部９１Ｌ，９３Ｌ，９１Ｒ，９３Ｒに嵌合されると、少しの手前側への移動で掛止め部９５に引っ掛かり、抜止めとしての役割を果たす。
【００５８】
図１４に、仕切部材９の収納作業の要領を説明する図を示す。
【００５９】
仕切部材９をリッド７裏側の収納部８３に収納するには、まず、図１４に示すように、開いた状態（例えば全開状態）のリッド７に対し、仕切部材９を、上側の嵌合凸部６３Ａ，６３Ｂがリッド前側の突部８５Ｌ，８５Ｒ、つまりリッド開状態で上側に位置する突部８５Ｌ，８５Ｒの上方に対応し、下側の嵌合凸部６５Ａ，６５Ｂがリッド前側の突部８５Ｌ，８５Ｒとリッド後側の突部８７Ｌ，８７Ｒ、つまりリッド開状態で下側に位置する突部８７Ｌ，８７Ｒとの間の空所８９に対応し、これら一対の嵌合凸部６３Ａ，６５Ａ，６３Ｂ，６５Ｂの間の空所６７にリッド前側の突部８５Ｌ，８５Ｒが対応する位置で対峙させる。このとき、第１嵌合凸部６３Ａ，６５Ａは右方の突部８５Ｒ，８７Ｒ側に、第２嵌合凸部６３Ｂ，６５Ｂは左方の突部８５Ｌ，８７Ｌ側にそれぞれ配置させる。
【００６０】
さらに、仕切部材９を、収納部８３の奥側、つまりリッド７（バックパネル７９）の裏面側に向けて嵌め込む。具体的には、左側にある一対の突部８５Ｌ，８７Ｌの間に下側の第２嵌合凸部６５Ｂを挿入し、右側にある一対の突部８５Ｒ，８７Ｒの間に下側の第１嵌合凸部６５Ａを挿入すると共に、一対の第１嵌合凸部６３Ａ，６５Ａの間、及び一対の第２嵌合凸部６３Ｂ，６５Ｂの間に、対応するリッド前側の突部８５Ｌ，８５Ｒをそれぞれ挿入することにより、仕切部材９をリッド７の裏側に宛がう。
【００６１】
そして、仕切部材９を、リッド７の裏面に沿って下方（図１４に矢印で示す方向）にスライドさせることにより、一対の第１嵌合凸部６３Ａ，６５Ａを下方に対応する右側の突部８５Ｒ，８７Ｒの嵌合凹部９１Ｒ，９３Ｒに、一対の第２嵌合凸部６３Ｂ，６５Ｂを下方に対応する左側の突部８５Ｌ，８７Ｌの嵌合凹部９１Ｌ，９３Ｌにそれぞれ嵌合させ、その後に、各嵌合凸部６３Ａ，６５Ａ，６３Ｂ，６５Ｂの引掛け爪６９，７１を掛止め部９５に引っ掛けて、図１１に示すようにリッド７裏面の収納部８３に保持させる。
【００６２】
以上の作業により、仕切部材９をリッド７裏側の収納部８３に収納することができる。また、このように収納された仕切部材９は、収納部８３への収納作業と逆の作業を行えば、収納部８３から取り外すことができる。
【００６３】
− 実施形態の効果 −
この実施形態に係るコンソールボックス１によると、リッド７の裏側にボックス本体５の前側凹部２５内から取り外した仕切部材９を収納する収納部８３を設けるようにしたから、仕切部材９を使用しないときにはリッド７裏側の収納部８３に目立たなく収納することができる。そうすることで、使用しないときの仕切部材９をコンソールボックス１から離れた場所に仕舞い込むことがなく、仕切部材９の紛失を防止することができる。
【００６４】
また、仕切部材９の両側部６２に一対の嵌合凸部６３Ａ，６５Ａ，６３Ｂ，６５Ｂをそれぞれ設け、収納部８３の左右両側に一対の突部８５Ｌ，８７Ｌ，８５Ｒ，８７Ｒをそれぞれ設け、それら各突部８５Ｌ，８７Ｌ，８５Ｒ，８７Ｒに対し、嵌合凸部６３Ａ，６５Ａ，６３Ｂ，６５Ｂが嵌合する嵌合凹部９１Ｌ，９３Ｌ，９１Ｒ，９３Ｒをリッド７の裏面に沿う方向における前側に開放させて設けるようにしたから、仕切部材９をリッド７裏側に宛がった後にスライドさせるだけで各嵌合凸部６３Ａ，６５Ａ，６３Ｂ，６５Ｂを対応する嵌合凹部９１Ｌ，９３Ｌ，９１Ｒ，９３Ｒに嵌合させて、仕切部材９をリッド７裏側の収納部８３に簡単に収納することができる。
【００６５】
さらに、下側の嵌合凸部６５Ａ，６５Ｂを一対の突部８５Ｌ，８７Ｌ，８５Ｒ，８７Ｒの間の空所８９に挿入すると共に、前側の突部８５Ｌ，８５Ｒを一対の嵌合凸部６３Ａ，６５Ａ，６３Ｂ，６５Ｂの間の空所６７に挿入することにより、仕切部材９をリッド７裏側に宛がえるようにしたので、仕切部材９をリッド７裏側に宛がったときの嵌合凸部６３Ａ，６５Ａ，６３Ｂ，６５Ｂと嵌合凹部９１Ｌ，９３Ｌ，９１Ｒ，９３Ｒとの距離を近くすることができ、仕切部材９を短いスライドストロークでリッド７裏側の収納部８３に収納することができる。それにより、収納部８３を凹みの範囲を仕切部材９のスライド方向（リッド７の長さ方向）において短く設定できるので、リッド７の裏側に対し、当該リッド７で閉じられる後側凹部２９内に物品を収納することの邪魔にならないように収納部８３を容易に設けることができる。
【００６６】
また、仕切部材９に飲料容器を保持可能なホルダ体５３を必要に応じて機能させ得る構成を採用したので、仕切部材９を前側凹部２５内の仕切位置では飲料容器のホルダとしても用いることができる。それによって、飲料容器を保持可能なホルダ部材を別途備える必要がなく、その分だけ部品点数を減らすことができ、仕切部材９を用いることによる利便性を高めることができる。
【００６７】
さらに、仕切部材９がリッド７裏側の収納部８３に収納される向きを、収納部８３の突部８５Ｌ，８７Ｌ，８５Ｒ，８７Ｒに形成された嵌合凹部９１Ｌ，９３Ｌ，９１Ｒ，９３Ｒと仕切部材９の嵌合凸部６３Ａ，６５Ａ，６３Ｂ，６５Ｂとからなる向き決め機構によって、ホルダ体５３がリッド７の裏面に臨む向きに規制するようにしたから、ホルダ体５３がリッド７の裏側外方に臨む逆向き姿勢で仕切部材９が収納部８３に収納されるのを防止することができる。その結果、仕切部材９がリッド７の開閉動作の邪魔にならず、ホルダ体５３が破損することも防止できる。
【００６８】
仕切部材９が逆向き姿勢で収納部８３に収納されると、ホルダ体５３が意図せず使用位置に変位し得るため、リッド７の開閉操作を行い難くなるし、ホルダ体５３が使用位置にあるのに気づかず勢いよく閉めると、ホルダ体５３が後側凹部２９内に収納した物品やボックス本体５に干渉することで破損するおそれがある。これに対し、この実施形態に係るコンソールボックス１によると、仕切部材９がホルダ体５３をリッド７の裏面に臨ませた姿勢で収納部８３に収納されるので、ホルダ体５３は仕切部材９が収納部８３に収納されている状態ではリッド７の裏面に阻まれて使用位置に変位し得ず、上述したようなリッド７の開閉操作の不便やホルダ体５３の破損を招くことがない。
【００６９】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、上記実施形態で説明した各構成要素を組み合わせて新たな実施の形態とすることも可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００７０】
例えば、上記実施形態について、以下のような構成としてもよい。
【００７１】
上記実施形態では、コンソールボックス１が、物品を収容可能な２つの凹部２５，２９を有するボックス本体５と、ボックス本体５の上部に一方の凹部（後側凹部）２９の上側開口を開閉可能に設けられたリッド７と、他方の凹部（前側凹部）２５内に取外し可能に設けられる仕切部材９とを備えるとしたが、これに限らない。コンソールボックス１は、ボックス本体５に物品収納用の凹部を１つだけ有していてもよく、３つ以上の当該凹部を有していても構わない。また、リッド７は、仕切部材９がその使用時に内部に取り付けられる凹部の開口を開閉するようになっていてもよい。
【００７２】
また、上記実施形態では、リッド７裏側の収納部８３が、仕切部材９を当該リッド７の裏側に宛がった後に当該リッド７の長さ方向に沿ってスライドさせることで取付け可能な構成を例に挙げて説明したが、これに限らない。リッド７裏側の収納部８３は、リッド７の裏側に宛がった後に当該リッド７の幅方向（左右方向）に沿ってスライドさせることにより取付け可能に構成されていてもよい。この場合、例えば、収納部８３の凹形状は、その幅方向（第２の方向）における一側に開放され、且つ、一対の突部８５Ｌ，８７Ｌ，８５Ｒ，８７Ｒは、収納部８３の裏面に沿う長さ方向（第１の方向）における両側にそれぞれ設けられ、少なくとも収納部８３の内方と収納部８３の凹形状開放側とに開放された嵌合凹部をそれぞれ有していてもよい。
【００７３】
また、上記実施形態では、リッド７裏側に一体に設けられた一対の突部８５Ｌ，８７Ｌ，８５Ｒ，８７Ｒにより収納部８３に仕切部材９を保持する態様を例示したが、これに限らない。一対の突部８５Ｌ，８７Ｌ，８５Ｒ，８７Ｒは、収納部８３で仕切部材９を保持する構成の一例に過ぎず、リッド７の裏側に仕切部材９を保持するための構成は、リッド７裏側のインナパネル７９とは別体の部品で構成されていてもよく、仕切り用途に用いられる独立した部品を着脱自在に保持可能であれば、任意の構成を採用することができる。
【００７４】
また、上記実施形態では、収納部８３の突部８５Ｌ，８７Ｌ，８５Ｒ，８７Ｒに形成された嵌合凹部９１Ｌ，９３Ｌ，９１Ｒ，９３Ｒと仕切部材９の嵌合凸部６３Ａ，６５Ａ，６３Ｂ，６５Ｂとを、仕切部材９の収納部８３への収納時の向きを規制する向き決め機構として例示したが、これに限らない。当該向き決め機構は、嵌合凸部６３Ａ，６５Ａ，６３Ｂ，６５Ｂとは別に仕切部材９に設けられた構造物によって構成されていてもよいし、仕切部材９の収納部８３への収納時の向きを規制できるものであれば、その他の任意の構成を採用することができる。このことは、仕切部材９の使用時の向きを規制する向き決め機構についても同じである。
【産業上の利用可能性】
【００７５】
以上説明したように、本発明は、自動車の室内に設置されるコンソールボックスについて有用である。
【符号の説明】
【００７６】
１…コンソールボックス、５…ボックス本体、７…リッド、９…仕切部材、
１１…前側収納ボックス、１３…後側収納ボックス、１５…外装部材、
１７…前側収容部、１９…後側収容部、２１，２３…開口、２５…前側凹部、
２７…フランジ片、２９…後側凹部、３１…フランジ片、３３…支軸部材、
３５…通し孔、３７…アーム、３９…ストッパ、４１Ｌ，４１Ｒ…側壁、
４３…段差壁部、４５…底壁、４７…上端面、４９Ｌ，４９Ｒ…嵌合溝、
５１…板状仕切体、５３…ホルダ体、５５…横桟部、５７…格納部、
５９…壁状本体、６１…保持孔、６２…壁状本体の側部、
６３Ａ，６５Ａ…第１嵌合凸部、６３Ｂ，６５Ｂ…第２嵌合凸部、６７…空所、
６９，７１…引掛け爪、７３…肉抜き部、６４…リッドアウタ、７５…表皮、
７７…アウタパネル、７９…インナパネル、８１…クッション層、
８３…収納部、８５Ｌ，８７Ｌ，８５Ｒ，８７Ｒ…突部、８９…空所、
９１Ｌ，９３Ｌ，９１Ｒ，９３Ｒ…嵌合凹部、９５…掛止め部
【図１】
2018199464.tif 000003
【図２】
2018199464.tif 000004
【図３】
2018199464.tif 000005
【図４】
2018199464.tif 000006
【図５】
2018199464.tif 000007
【図６】
2018199464.tif 000008
【図７】
2018199464.tif 000009
【図８】
2018199464.tif 000010
【図９】
2018199464.tif 000011
【図１０】
2018199464.tif 000012
【図１１】
2018199464.tif 000013
【図１２】
2018199464.tif 000014
【図１３】
2018199464.tif 000015
【図１４】
2018199464.tif 000016